(57)【要約】【解決手段】自動車の内燃機関へ貯蔵タンクから燃料を搬送するための装置であって、戻し導管に接続された入口ポートを備えたケーシングと、入口ポートの後方に間隔をおいて配置されていてノズル出口を介して、貯蔵タンクに連通した吸込室内へ開口したノズルと、流れ方向で吸込室に続いて設けられていて出口ポートによってスプラッシュポットへ通じた混合室と、ノズルの横断面より小さい横断面を有していてノズル内に配置されたピンとから成るケーシングを備えた形式のものにおいて、ピン２０がノズル出口１９の上流から混合室１７内にまで延びている。【効果】公知装置に比して駆動噴流容積流および噴流速度が同じならば噴流表面積ひいては搬送効率が比較的大きい。【選択図】　　　図２
2004011640.tif 000002
【特許請求の範囲】
【請求項１】
自動車の内燃機関へ貯蔵タンクから燃料を搬送するための装置であって、戻し導管に接続されるべき入口ポートと、貯蔵タンクに連通した吸込室と、入口ポートの後方に間隔をおいて配置されていてノズル出口を介して吸込室に開口したノズルと、流れ方向で吸込室に続いて設けられていて出口ポートによってスプラッシュポットへ通じた混合室と、ノズルの横断面より小さい横断面を有していてノズル内に配置されたピンとを備えたケーシングから成る形式のものにおいて、ピン（２０）がノズル出口（１９）の上流から混合室（１７）内まで延びていることを特徴とする自動車の内燃機関へ貯蔵タンクから燃料を搬送するための装置。
【請求項２】
ピン（２０）がノズル出口（１９）に対して中心に配置されている請求項１記載の装置。
【請求項３】
ピン（２０）がノズル出口（１９）の下流へテーパしている請求項１記載の装置。
【請求項４】
ピン（２０）がノズル出口（１９）の下流へ円錐状にテーパしている請求項３記載の装置。
【請求項５】
ピン（２０）の横断面が円形に形成されている請求項１記載の装置。
【請求項６】
ピン（２０）の横断面が楕円形、三角形、四角形または多角形に形成されている請求項１記載の装置。
【発明の詳細な説明】
【０００１】
【発明の属する技術分野】
本発明は自動車の内燃機関へ貯蔵タンクから燃料を搬送するための装置であって、自動車の内燃機関へ貯蔵タンクから燃料を搬送するための装置であって、戻し導管に接続されるべき入口ポートと、貯蔵タンクに連通した吸込室と、入口ポートの後方に間隔をおいて配置されていてノズル出口を介して吸込室に開口したノズルと、流れ方向で吸込室に続いて設けられていて出口ポートによってスプラッシュポットへ通じた混合室と、ノズルの横断面より小さい横断面を有していてノズル内に配置されたピンとを備えたケーシングから成る形式のものに関する。
【０００２】
【従来の技術】
この種の装置は既にドイツ連邦共和国特許公開第１９８３３１３０号明細書から公知である。この装置では内燃機関のそれぞれの運転状態のために燃料を十分に供給するにはしばしば搬送効率が低く、または駆動噴流容積流に対する吸い込まれた容積流の比が悪い。
【０００３】
さらに、ドイツ連邦共和国特許公開第１９７３６０８８号明細書からは、コーン状に開いた燃料噴流が生じ、かつ逆止フラップへの燃料噴流の直接的な衝突が妨げられるようにピンを中央のノズルポート内に配置することが公知である。
【０００４】
【特許文献１】
ドイツ連邦共和国特許公開第１９８３３１３０号明細書
【特許文献２】
ドイツ連邦共和国特許公開第１９７３６０８８号明細書
【０００５】
【発明が解決しようとする課題】
本発明の課題は公知装置に対比して駆動噴流が同じならばより高い搬送効率を得ることができるように冒頭に記載した装置を簡単に改良することにある。
【０００６】
【課題を解決するための手段】
上記課題は冒頭に記載した形式の装置において請求項１に記載されているようにピンがノズル出口の上流から混合室内まで延びていることにより解決される。
【０００７】
【発明の効果】
本発明によれば、サクションジェットポンプもしくは燃料ポンプが高い搬送効率で燃料を供給することができる。
【０００８】
請求項２以下の請求項に記載された手段によれば、請求項１に記載された装置の有利な構成および改善が可能である。
【０００９】
噴流の周囲にわたり一様な噴流速度ひいては一様な吸込効率を得るために、ピンをノズルに対して中心に配置するのが特に有利である。
【００１０】
流体技術的な理由からピンを下流へテーパさせ、かつピンの横断面を例えば円形に形成するのも有利である。
【００１１】
【発明の実施の形態】
次ぎに本発明の１実施例を図面に示し、以下の記載で詳細に説明する。
【００１２】
図１には例えば貯蔵タンク１から自動車の内燃機関２へ燃料を搬送するために役立つことのできる装置が簡略に図示されている。
【００１３】
貯蔵タンク１内にはスプラッシュポット３が配置されており、該スプラッシュポット内に配置された燃料フィード装置４がスプラッシュポットから燃料を吸い込む。燃料フィード装置４の圧力接続管片５には圧力導管６が接続されており、該圧力導管は内燃機関２へ通じている。圧力導管６内にはさらに圧力レギュレータ７が間挿されており、該圧力レギュレータは圧力導管６内を搬送される燃料の圧力を、内燃機関２のために規定されたシステム圧に制御する。圧力レギュレータ７からは貯蔵タンク１へ戻し導管８が通じており、該戻し導管によって、内燃機関によって必要とされなかった燃料が再び貯蔵タンク１内へ戻される。戻し導管８には貯蔵タンク１内に配置されたサクションジェットポンプ９が接続されており、該サクションジェットポンプによってスプラッシュポット３内へ燃料が搬送される。内燃機関２の運転時に燃料フィード装置４がスプラッシュポット３から内燃機関２へ燃料を搬送し、かつ戻し導管８によって戻された燃料がサクションジェットポンプ９を駆動する。
【００１４】
図２には図１に示した装置で使用されたサクションジェットポンプ９が拡大されて簡略に示されている。該サクションジェットポンプは戻し導管８に接続された入口ポート１１を備えたケーシング１０を有している。この入口ポート１１を通して流入した燃料は次いで入口通路１２によって、これの後方に間隔をおいて配置されたノズル１３へ案内され、そのノズル出口１９を介して燃料が噴流１４となって吸込室１５内に達する。吸込室１５は貯蔵タンク１に連通している。噴流１４は吸込室１５から燃料を吸い込む。その際、燃料が貯蔵タンク１から吸込室１５内へ連れ込まれるように流入する。吸い込まれた燃料は次いで混合室ポート１６を介して、出口ポート１８によってスプラッシュポット３内へ通じた混合室１７内へ達する。混合室１７の横断面は流れ騒音を軽減するために流れ方向へ例えば連続的に拡大されている。
【００１５】
ノズル出口１９の上流から、下流へ混合室１７内にまで延びたピン２０が例えば中心に設けられており、その横断面はノズル１３およびノズル出口１９の横断面より小さい。ピン２０は例えば混合室ポート１６の後で流れ方向にテーパしている。ピン２０の横断面は例えば円形に形成されることができる。しかし、ピン２０の横断面は円形に限定されず、むしろ楕円形、四角形またはその他の多角形の横断面を有することもできる。
【００１６】
噴流１４は駆動噴流とも記載される。それというのは噴流がサクションジェットポンプ９を駆動する負圧を発生させて燃料の吸込みを可能にするからである。噴流１４の表面積が大きいほど、ますます多量の燃料が噴流１４の表面を介して吸い込まれることができ、搬送効率の向上が得られる。噴流１４の大きな表面積はノズル１３の直径が大きいことにより得られる。ノズル１３の直径が比較的大きいことによって戻し導管８からの燃料容積流の必要量が多くなり過ぎるのを回避するために、ノズル１３の流れ横断面を減少させるピン２０が例えばノズル１３に対して中心に配置される。ピン２０が混合室１７内にまで延び、これにより噴流１４がノズル出口１９の下流で案内されて、その大きな表面が安定に維持されることが重要である。それゆえ、本発明による装置は公知の装置に比して駆動噴流容積流が同じで噴流１４の速度が同じならば、公知装置に比して噴流１４のより大きな表面積と、これによって比較的高い搬送効率が実現される。駆動噴流容積流に対する吸い込まれた容積流の比によって規定される、サクションジェットポンプ９の効率が著しく増大する。
【図面の簡単な説明】
【図１】自動車の内燃機関へ貯蔵タンクから燃料を搬送するための本発明による装置の概略図である。
【図２】図１の装置の一部分の縦断面図である。
【符号の説明】
１　貯蔵タンク、　２　内燃機関、　３　スプラッシュポット、　４　燃料フィード装置、　５　圧力接続管片、　６　圧力導管、　７　圧力レギュレータ、８　戻し導管、　９　サクションジェットポンプ、　１０　ケーシング、　１１　入口ポート、　１２　入口通路、　１３　ノズル、　１４　噴流、　１５　吸込室、　１６　混合室ポート、　１７　混合室、　１８　出口ポート、　１９
ノズル出口、　２０　ピン
【図１】
2004011640.tif 000003
【図２】
2004011640.tif 000004